(57)【要約】【課題】  サイズの異なる容器にも使用可能な容器の運搬具を提供する。【解決手段】  輪状の紐部材１１と、紐部材１１の途中の２箇所を束ね、上端部の外周に沿ってに横外側へ突設した突設縁２を有する容器１の当該突設縁２の下面３の側に係脱自在に係止可能な容器係止側輪状部１３と、持ち手側輪状部１４を形成する束ね部材１２と、容器係止側輪状部１３の内、束ね部材１２とは反対の頂点Ｐと束ね部材１２の間の２つに分かれた紐部１１Ａ、１１Ｂの各々の途中に装着されて、容器１の上側に折り曲げられた持ち手側輪状部１４の途中の２箇所を係脱自在に係止する第１、第２の係止部材３０、３１を備え、束ね部材１２は束ねた２つの紐部１１Ａ、１１Ｂの軸方向にスライド自在とした。【選択図】      図１
0003214751.tif 000002
【実用新案登録請求の範囲】
【請求項１】
上端部の外周に沿って横外側へ突設した突設縁を有する容器を手で運搬可能とする容器の運搬具であって、
輪状の紐部材と、
紐部材の途中の２箇所の紐部を束ね、容器の前記突設縁の下側の周方向に係脱自在に係止可能な容器係止側輪状部と、持ち手側輪状部とを形成する束ね部材と、
容器係止側輪状部の内、束ね部材とは反対の頂点と束ね部材の間の２つに分かれた紐部の各々の途中に装着されて、持ち手側輪状部の途中の２箇所を係脱自在に係止する第１、第２の係止部材、または着脱自在に留める第１、第２の留め部材と、
を備え、
束ね部材は束ねた２つの紐部の軸方向にスライド自在としたこと、
を特徴としている。
【請求項２】
第１、第２の係止部材、または第１、第２の留め部材を紐部材の軸方向にスライド自在としたこと、
を特徴とする請求項１記載の容器の運搬具。
【請求項３】
上端部の外周に沿って横外側へ突設した突設縁を有する容器を手で運搬可能とする容器の運搬具であって、
輪状の紐部材と、
紐部材の離れた２箇所の紐部を束ね、容器の前記突設縁の下側の周方向に係脱自在に係止可能な容器係止側輪状部と、持ち手側輪状部とを形成する束ね部材と、
容器係止側輪状部の紐部材の途中の軸方向にスライド自在に装着されて、持ち手側輪状部の途中を係脱自在に係止する少なくとも２つの係止部材、または着脱自在に留める少なくとも２つの留め部材と、
を備え、
束ね部材は束ねた２つの紐部の軸方向にスライド自在としたこと、
を特徴とする容器の運搬具。
【請求項４】
持ち手側輪状部の内、束ね部材とは反対の頂点と束ね部材の間の２つに分かれた紐部の途中を合わせるように装着された取っ手を備えたこと、
を特徴とする請求項１乃至３の内のいずれか一項記載の容器の運搬具。
【請求項５】
束ね部材は、
束ね部材は、束ねた２つの紐部の軸方向へのスライドをロック、ロック解除するロック手段を備えたこと、
を特徴とする請求項１乃至４の内のいずれか一項記載の容器の運搬具。
【考案の詳細な説明】
【技術分野】
【０００１】
本考案は容器の運搬具に係り、とくに容器の上端部の外周側が容器中心から見て横外側に膨出した容器に用いて好適な容器の運搬具に関する。
【背景技術】
【０００２】
コンビニエンスストアなどではお湯の提供サービスがあり、店舗で購入したカップ麺にお湯を入れて自宅、職場、作業現場などに持ち帰ることで、すぐに食べることができる。けれども、熱い湯を入れたカップ麺を手で持って運ぼうとすると、容器の揺れでこぼれた熱湯が手に着き、熱くて運びにくい。従来、湯の入った容器を運搬可能とする容器運搬具として、容器の下方から上端部の外周に挿脱自在なリング状の容器支持部と、この容器支持部の１８０度離れた２箇所に形成した一対の吊り下げ紐係止部に吊り下げ紐を連結したものが提案されている（特許文献１）。
けれども、上記従来の運搬具は、容器支持部のサイズが一定なため、サイズの異なる容器には使用できない欠点があった。
【先行技術文献】
【特許文献】
【０００３】
【特許文献１】特開２００７−７６７４０号公報
【考案の概要】
【考案が解決しようとする課題】
【０００４】
本考案は上記した従来技術の問題に鑑み、サイズの異なる容器にも使用可能な容器の運搬具を提供することを、その目的とする。
【課題を解決するための手段】
【０００５】
請求項１記載の考案では、
上端部の外周に沿って横外側へ突設した突設縁を有する容器を手で運搬可能とする容器の運搬具であって、
輪状の紐部材と、
紐部材の離れた２箇所の紐部を束ね、容器の前記突設縁の下側の周方向に係脱自在に係止可能な容器係止側輪状部と、持ち手側輪状部とを形成する束ね部材と、
容器係止側輪状部の内、束ね部材とは反対の頂点と束ね部材の間の２つに分かれた紐部の各々の途中に装着されて、持ち手側輪状部の途中の２箇所を係脱自在に係止する第１、第２の係止部材、または着脱自在に留める第１、第２の留め部材と、
を備え、
束ね部材は束ねた２つの紐部の軸方向にスライド自在としたこと、
を特徴としている。
請求項２記載の考案では、
第１、第２の係止部材、または第１、第２の留め部材を紐部の軸方向にスライド自在としたこと、
を特徴としている。
請求項３記載の考案では、
上端部の外周に沿って横外側へ突設した突設縁を有する容器を手で運搬可能とする容器の運搬具であって、
輪状の紐部材と、
紐部材の途中の２箇所の紐部を束ね、容器の前記突設縁の下側の周方向に係脱自在に係止可能な容器係止側輪状部と、持ち手側輪状部とを形成する束ね部材と、
容器係止側輪状部の紐部材の途中の軸方向にスライド自在に装着されて、持ち手側輪状部の途中を係脱自在に係止する少なくとも２つの係止部材、または着脱自在に留める少なくとも２つの留め部材と、
を備え、
束ね部材は束ねた２つの紐部の軸方向にスライド自在としたこと、
を特徴としている。
請求項４記載の考案では、
持ち手側輪状部の内、束ね部材とは反対の頂点と束ね部材の間の２つに分かれた紐部の途中を合わせるように装着された取っ手と、
を備えたことを特徴としている。
請求項５記載の考案では、
束ね部材は、束ねた２つの紐部の軸方向へのスライドをロック、ロック解除するロック手段を備えたこと、
を特徴としている。
【考案の効果】
【０００６】
本考案によれば、容器の上端部外周の突設縁の下側の周方向に容器係止側輪状部を回し、束ね部材を容器側にスライドさせて容器係止側輪状部により容器の上端部の突設縁を係止させ、持ち手側輪状部を容器の上側へ曲げ、束ね部材よりも容器係止側輪状部の頂点寄りで、かつ、束ね部材と係止側輪状部の頂点の間の２つの紐部の各々の途中の位置で、係止部材により持ち手側輪状部を係止するか、留め部材により持ち手側輪状部を留めることにより、種々のサイズの容器の運搬が可能となる。
【図面の簡単な説明】
【０００７】
【図１】本考案の一実施例に係る容器の運搬具の使用状態を示す外観斜視図である（実施例１）。
【図２】図１中の容器の運搬具の平面図である。
【図３】図２中の束ね部材の平面図である。
【図４】図３の左側面図である。
【図５】図３の右側面図である。
【図６】図３のＶＩ−ＶＩ’に沿った断面図である。
【図７】図３のＶＩＩ−ＶＩＩ’に沿った断面図である。
【図８】図２中の係止部材の外観斜視図である。
【図９】図８の正面図である。
【図１０】図８の平面図である。
【図１１】方形の容器に対する容器の運搬具の使用方法を示す説明図である。
【図１２】図２の変形例に係る容器の運搬具を示す平面図である。
【図１３】図１２の容器の運搬具の使用状態を示す説明図である。
【考案を実施するための最良の形態】
【０００８】
以下、本考案の最良の形態を実施例に基づき説明する。
【実施例１】
【０００９】
図１乃至図１０を参照して本考案の一実施例を説明する。図１は本考案に係る容器の運搬具の使用状態を示す外観斜視図、図２は図１中の容器の運搬具の平面図、図３は図２中の束ね部材の平面図、図４は図３の左側面図、図５は図３の右側面図、図６は図３のＶＩ−ＶＩ’に沿った断面図、図７は図３のＶＩＩ−ＶＩＩ’に沿った断面図、図８は図２中の係止部材の外観斜視図、図９は図８の正面図、図１０は図８の平面図である。
図１において、１は平面視が円形で椀形の容器であり、ここでは一例としてカップ麺の容器とする（なお、図１では蓋と中身は省略してある）。２は容器の上端部の外周に沿って、半径方向の横外側に略水平に突設されたフランジ状の突設縁である。
【００１０】
１０は容器１を手で携帯して運搬可能とする容器の運搬具であり、全体構成を図２に示す。容器の運搬具１０の内、１１は無端で輪状の紐部材であり、例えば、ゴム、プラスチック、繊維、ワイヤ等の材質で形成されている。１２は紐部材１１の途中の２箇所を束ね、容器１の突設縁２の下面３の側に係脱自在に係止可能な容器係止側輪状部１３と、持ち手側輪状部１４を形成する束ね部材であり、束ね部材１２は束ねた２つの紐部１１Ａ、１１Ｂの軸方向にスライド自在である（図２の矢印Ａ参照）。
【００１１】
図３乃至図５は各々束ね部材１２の平面図、左側面図、右側面図、図６と図７は束ね部材の断面図を示す。これらの図において、２１は有底で上方が円形に開口した略円筒状のケース、２２Ａと２２Ｂはケース２１の左側面に開口した紐通し口、２３Ａと２３Ｂは右側面に開口した紐通し口、２４は紐通し口２２Ａと２２Ｂの間の支柱、２５は紐通し口２３Ａと２３Ｂの間の支柱、２６はケース２１の開口２７に上下方向に摺動自在に嵌合されたボタン、２８はボタン２６の下面から下方へ突設された首部、２９は首部２８の下端に固着された円盤状の押さえ板、３０はケース２１の内部空間の底に設けられたバネ座３１と押さえ板２９の下面の間に介そうされた圧縮コイルバネである。容器係止側輪状部１３の内、束ね部材１２とは反対側の頂点をＰ、持ち手側輪状部１４の内、束ね部材１２とは反対側の頂点をＱとし、ＰとＱの間の２つに分かれた紐部１１Ａ、１１Ｂの内、前者が押さえ板２９の上側で紐通し口２２Ａから２３Ａに挿通されており、後者が押さえ板２９の上側で紐通し口２２Ｂから２３Ｂに挿通されている。
【００１２】
紐部１１Ａ、１１Ｂは通常、圧縮コイルバネ３０に上方付勢された押さえ板２９により紐通し口２２Ａの上端と２３Ａの上端、２２Ｂの上端と２３Ｂの上端に押圧されており、束ねた２つの紐部１１Ａ、１１Ｂの軸方向への束ね部材１２のスライドがロックされている。圧縮コイルバネ３０に抗してボタン２６をケース２１の底方向に押し込むと、押さえ板２９の押圧によるスライドロックが解放されて、束ねた２つの紐部１１Ａ、１１Ｂの軸方向への束ね部材１２のスライドが自在となる。ボタン２６、首部２８、押さえ板２９、圧縮コイルバネ３０により、ロック手段が構成されている。束ね部材１２は、圧縮コイルバネ３０を除いてプラスチック製である。
【００１３】
図２に戻って、３０、３１は容器係止側輪状部１３を成す紐部材１１の途中に軸方向にスライド自在に装着されて、持ち手側輪状部１４の途中を係脱自在に係止可能な２つの係止部材である。係止部材３０、３１は同形であり、図８乃至図１０に斜視図、正面図、平面図を示す。これらの図において、３２は円筒状の嵌合穴部であり、紐部材１１が軸方向にスライド自在に挿通されている。３３は嵌合穴部３２の側面から外側へ延長された断面がＪ字状で持ち手側輪状部１４の紐部材１１の途中を係脱自在に係止可能な係止部である。嵌合穴部３２、係止部３３はプラスチックにより一体成形されている。係止部材３１も３０と全く同様に形成されている。係止部材３０、３１は容器係止側輪状部１３を成す紐部材１１の軸方向のほぼ全長をスライド移動可能である（図２の矢印Ｂ、Ｃ参照）。
【００１４】
次に図１、図１１を参照して上記した容器の運搬補助具の使用方法を説明する。
（１）平面視が円形の容器の場合（図１参照）
例えば、コンビニエンスストアで購入したカップ麺の蓋（図示せず）を一部開け、湯を注いで蓋を閉じた容器１に対し、容器１の上端部のリング状の突設縁２の下面３の側の周方向に容器の運搬補助具１０の容器係止側輪状部１３を回し、束ね部材１２を容器１の側にスライドさせて容器係止側輪状部１３により容器１の突設縁２を係止させる。続いて係止部材３０を、束ね部材１２と容器係止側輪状部１３の頂点Ｐの間の２つの紐部１１Ａ、１１Ｂの内、紐部１１Ａの途中で頂点Ｐ寄りにスライドさせ、係止部３３を下向きとし、係止部材３１を、紐部１１Ｂの途中の頂点Ｐ寄りで束ね部材１２と頂点Ｐを結ぶ直線に対し係止部材３０と対称な位置にスライドさせ、係止部３３を下向きとする。
【００１５】
そして、持ち手側輪状部１４を容器１の上側へ曲げ、束ね部材１２と持ち手側輪状部１４の頂点Ｑの間の２つの紐部１１Ａ、１１Ｂの内、紐部１１Ａの途中で頂点Ｑ寄りを係止部材３０の係止部３３に係止させ、紐部１１Ｂの途中で頂点Ｑ寄りを係止部材３１の係止部３３に係止させる。持ち手側輪状部１４の紐部材１１の内、係止部材３０と３１の間は容器１の突設縁２の下面２の側を円弧状に回すようにするか（図１参照）、容器１の蓋（図示せず）の上を直線的に通過させる。
そして、持ち手側輪状部１４の二つの紐部１１Ａ、１１Ｂの内、容器１の中央付近の上方部分を手で合わせて持ち上げると、容器１の重量は持ち手側輪状部１４により、束ね部材１２と係止部材３０、３１の３点で支持されるので、安定して運搬可能となる。
【００１６】
（２）平面視が四角形の容器の場合（図１１参照）
図１１に示す如くカップ麺の容器４が平面視四角形の場合は、蓋（図示せず）を一部開け、湯を注いで蓋を閉じた容器４に対し、容器４の上端部の外周に沿った四角枠状の突設縁５の下面６の側の周方向に容器の運搬補助具１０の容器係止側輪状部１３を回し、この際、頂点Ｐを容器４の１つの角Ｒの下に来るようにする。そして、束ね部材１２を容器４の角Ｒと対角方向にある角Ｓへスライドさせて容器係止側輪状部１３により容器４の突設縁５を係止させる（矢印Ｄ参照）。続いて係止部材３０を、束ね部材１２と容器係止側輪状部１３の頂点Ｐの間の２つの紐部１１Ａ、１１Ｂの内、紐部１１Ａの途中の頂点Ｐ寄りにスライドさせ（矢印Ｅ参照）、係止部３３を下向きとし、係止部材３１を、紐部１１Ｂの途中で頂点Ｐ寄りで束ね部材１２と頂点Ｐを結ぶ直線に対し係止部材３０と対称な位置にスライドさせ（矢印Ｆ参照）、係止部３３を下向きとする。
【００１７】
そして、持ち手側輪状部１４を容器４の上側へ曲げ、束ね部材１２と持ち手側輪状部１４の頂点Ｑの間の２つの紐部１１Ａ、１１Ｂの内、紐部１１Ａの途中で頂点Ｑ寄りを係止部材３０の係止部３３に係止させ、紐部１１Ｂの途中で頂点Ｑ寄りを係止部材３１の係止部３３に係止させる。持ち手側輪状部１４の紐部材１１の内、係止部材３０と３１の間は容器４の突設縁５の下面６の側をくの字状に回すようにするか、容器４の蓋（図示せず）の上を直線的に通過させる。
そして、持ち手側輪状部１４の二つの紐部１１Ａ、１１Ｂの内、容器４の中央付近の上方部分を手で合わせて持ち上げると、容器４の重量は持ち手側輪状部１４により、束ね部材１２と係止部材３０、３１の３点で支持されるので、平面視が略正方形の容器４であっても、安定して運搬可能となる。
【００１８】
この実施例によれば、容器１、４の上端部の外周に沿って横方向に突設して設けられた突設縁２、５の下側の周方向に容器係止側輪状部１３を回し、束ね部材１２を容器側にスライドさせて容器係止側輪状部１３により容器１、４の上端部の突設縁２、５を係止させ、持ち手側輪状部１４を容器１、４の上側へ曲げ、束ね部材１２よりも容器係止側輪状部１３の頂点Ｐ寄りで、かつ、束ね部材１２と容器係止側輪状部１３の頂点Ｐの間の２つの紐部１１Ａ、１１Ｂの各々の途中の位置で係止部材３０、３１により、持ち手側輪状部１４の途中を係止することにより、種々のサイズ、形状の容器１、４の運搬が可能となる。
また、束ね部材１２に、束ねた２つの紐部１１Ａ、１１Ｂの軸方向へのスライド移動をロック・ロック解除するロック手段を備えたことにより、運搬中に束ね部材１２が束ね合わせた２つの紐部１１Ａ、１１Ｂの軸方向へずれるのを防止できる。
【００１９】
なお、上記した実施例では、係止部材３０、３１は容器係止側輪状部１３を成す紐部材１１のほぼ全長をスライド移動可能としたが、これと異なり、係止部材３０は束ね部材１２と頂点Ｐの間の紐部１１Ａの範囲をスライド自在とし、係止部材３１は束ね部材１２と頂点Ｐの間の紐部１１Ｂの範囲をスライド自在としても良い。或いは、容器係止側輪状部１３の束ね部材１２と頂点Ｐの間の紐部１１Ａの内、頂点Ｐ寄りに係止部材３０を１つ固定して装着したり、異なる位置に複数個固定して装着したりし、同様に容器係止側輪状部１３の束ね部材１２と頂点Ｐの間の紐部１１Ｂの内、頂点Ｐ寄りで束ね部材１２と頂点Ｐを結ぶ直線に対し係止部材３０と対称な位置に１つまたは複数個固定して装着しても良い。
また、係止部材をクリップ式等の留め部材に置き換え、留め部材により持ち手側輪状部の紐部材の途中を着脱自在に留めるようにしても良い。
また、束ね部材１２にロック手段を備えたが、紐通し口と紐部材の摺動抵抗が比較的大きい場合などには、ロック手段を省略することもできる。
【００２０】
また持ち手側輪状部１４を手で持つ際、二つの紐部１１Ａ、１１Ｂは手で合わせ持つようにしたが、これと異なり、図１２の容器の運搬補助具１００に示す如く、持ち手側輪状部１４の内、束ね部材１２と、束ね部材１２とは反対の頂点Ｑの間の２つに分かれた紐部１１Ａ、１１Ｂの途中を合わせるように装着した取っ手４０を備えておけば、図１３に示す如く、容器１にセット後の容器の運搬補助具１００を手で持ち易くなる。
【産業上の利用可能性】
【００２１】
本考案は、湯を注いだ持ち帰りカップ麺、カップ入り持ち帰りコーヒなどの中身の入った容器の運搬道具に適用可能である。
【符号の説明】
【００２２】
１、４  容器
２、５  突設縁
１０、１００  容器の運搬補助具
１１  紐部材
１１Ａ、１１Ｂ  紐部
１２  束ね部材
１３  容器側係止輪状部
１４  持ち手側輪状部
３０、３１  係止部材
４０  取っ手
【図１】
0003214751.tif 000003
【図２】
0003214751.tif 000004
【図３】
0003214751.tif 000005
【図４】
0003214751.tif 000006
【図５】
0003214751.tif 000007
【図６】
0003214751.tif 000008
【図７】
0003214751.tif 000009
【図８】
0003214751.tif 000010
【図９】
0003214751.tif 000011
【図１０】
0003214751.tif 000012
【図１１】
0003214751.tif 000013
【図１２】
0003214751.tif 000014
【図１３】
0003214751.tif 000015